(57)【要約】      （修正有）【課題】優先入店の抽選会が行われる遊技店において不正行為による遊技客の来店を防止すること。【解決手段】抽選システムは、遊技場への入場順位を抽選するための抽選事前情報が記録された抽選事前情報記録媒体と、抽選事前情報を読み取る情報読取手段と、読み取った抽選事前情報に基づいて、遊技場への入場順位を抽選し、遊技場への入場順位に関する情報を生成する入場順位抽選手段と、情報読取手段が抽選事前情報を読み取る際に、抽選事前情報記録媒体を所有する遊技客の情報を取得し、遊技客の情報を遊技場への入場順位に関する情報に関連付ける遊技客情報取得手段と、情報読取手段が遊技場への入場順位に関する情報を読み取り、遊技客情報取得手段が取得した遊技客の情報を表示する情報表示手段と、を有する管理端末を備え。【選択図】図２
2018190276.tif 000002
【特許請求の範囲】
【請求項１】
遊技場への入場順位を抽選するための抽選事前情報が記録された抽選事前情報記録媒体と、前記抽選事前情報記録媒体を使用して前記遊技場への入場順位が抽選され、当該遊技場への入場順位に関する情報が記録された入場順位情報記録媒体とを発行する情報記録媒体発行手段と、
前記抽選事前情報記録媒体に記録されている前記抽選事前情報を読み取る情報読取手段と、
前記情報読取手段が読み取った前記抽選事前情報に基づいて、前記遊技場への入場順位を抽選し、前記遊技場への入場順位に関する情報を生成する入場順位抽選手段と、
前記情報読取手段が前記抽選事前情報を読み取る際に、前記抽選事前情報記録媒体を所有する遊技客の情報を取得し、前記遊技客の情報を前記遊技場への入場順位に関する情報に関連付ける遊技客情報取得手段と、
前記情報読取手段が前記入場順位情報記録媒体に記録されている前記遊技場への入場順位に関する情報を読み取り、前記遊技客情報取得手段が取得した前記遊技客の情報を表示する管理端末と、を備える
抽選システム。
【請求項２】
前記遊技客情報取得する前記遊技客の情報は、前記遊技客の顔画像情報である
請求項１記載の抽選システム。
【発明の詳細な説明】
【技術分野】
【０００１】
この発明は、遊技場の抽選会で遊技客の入場順位を抽選するシステムに関する。
【背景技術】
【０００２】
パチンコ遊技やスロット遊技等の遊技店では、新台入れ替えや各種イベントを行う場合、開店前に遊技店への入店を優先する抽選会が行われる。
【先行技術文献】
【特許文献】
【０００３】
【特許文献１】特開２００５−２７９００号公報
【特許文献２】特開２００７−７２５８号公報
【発明の概要】
【発明が解決しようとする課題】
【０００４】
パチンコ遊技やスロット遊技等の遊技店への優先入店を抽選する場合、「遊技客同士の公平性」が求められる。しかし、優先入店の抽選会の列への割り込みや、第三者に抽選会へ参加させて、当該第三者の抽選結果を回収し、一番良い結果で入場するいわゆる「引き子」による不正な行為が行われている。
【０００５】
このような行為が横行すると、ルールを守って優先入店の抽選会へ参加している一般の遊技客が不利益を被る。
【０００６】
この発明は、優先入店の抽選会が行われる遊技店において不正行為による遊技客の来店を防止することを目的とする。
【課題を解決するための手段】
【０００７】
請求項１の発明は、
遊技場への入場順位を抽選するための抽選事前情報が記録された抽選事前情報記録媒体と、前記抽選事前情報記録媒体を使用して前記遊技場への入場順位が抽選され、当該遊技場への入場順位に関する情報が記録された入場順位情報記録媒体とを発行する情報記録媒体発行手段と、
前記抽選事前情報記録媒体に記録されている前記抽選事前情報を読み取る情報読取手段と、
前記情報読取手段が読み取った前記抽選事前情報に基づいて、前記遊技場への入場順位を抽選し、前記遊技場への入場順位に関する情報を生成する入場順位抽選手段と、
前記情報読取手段が前記抽選事前情報を読み取る際に、前記抽選事前情報記録媒体を所有する遊技客の情報を取得し、前記遊技客の情報を前記遊技場への入場順位に関する情報に関連付ける遊技客情報取得手段と、
前記情報読取手段が前記入場順位情報記録媒体に記録されている前記遊技場への入場順位に関する情報を読み取り、前記遊技客情報取得手段が取得した前記遊技客の情報を表示する管理端末と、を備える
抽選システムである。
【発明の効果】
【０００８】
この発明によれば、優先入店の抽選会が行われる遊技店において不正行為による遊技客の来店を防止することができる。
【図面の簡単な説明】
【０００９】
【図１】本発明の抽選システムの構成の一例を表す図である。
【図２】本発明の抽選システムが備える管理端末の構成の一例を表す図である。
【図３】（ａ）抽選事前情報の一例を表す図である。（ｂ）入場順位情報の一例を表す図である。
【図４】（ａ）抽選整理券の一例を表す図である。（ｂ）抽選整理券の発行数の出力物の一例を表す図である。
【図５】（ａ）入場券の一例を表す図である。（ｂ）抽選結果の出力物の一例を表す図である。
【図６】開店前における抽選整理券発行処理のフロー図である。
【図７】抽選整理券を遊技客に配布後、抽選による入場券発行処理のフロー図である。
【図８】抽選による入場券発行を行っている遊技店の状態を表す図である。
【図９】入場券を遊技客に発行後、開店時に遊技客の照合処理を行うフロー図である。
【図１０】遊技客の照合処理を行っている遊技店の状態を表す図である。
【発明を実施するための形態】
【００１０】
以下、添付図面を参照して、本発明の実施形態の一例を説明する。
【００１１】
［システム構成］
本実施形態の抽選システム１は、図１図示のように、管理端末２、情報記録媒体発行手段３、情報読取手段４、抽選指示手段５、遊技客情報取得手段６、を備えている。これら各構成が相互に通信可能に接続され載置台７に設置されている。
【００１２】
管理端末２は、パーソナルコンピュータ、タブレット端末等の情報通信端末であり、パチンコ遊技やスロット遊技等の提供が行われる遊技場を運営する事業者が使用する端末である。管理端末２は、図２図示のように、情報送受信部９、情報入力手段１０、情報表示手段１１、抽選事前情報生成部１２、入場順位情報生成部１３、記憶部１４、制御部１８を備えている。
【００１３】
情報送受信部９は、情報記録媒体発行手段３、情報読取手段４、抽選指示手段５、遊技客情報取得手段６、図示していない前記事業者が通信ネットワークを介して通信可能に接続するサーバ装置との間で情報の送信・受信を行う。
【００１４】
情報入力手段１０は、キーボード、マウス、タッチパネル等、情報の入力を行う機器である。
【００１５】
情報表示手段１１は、液晶モニタ等、情報の表示を行う機器である。
【００１６】
抽選事前情報生成部１２は、遊技場への入場順位を抽選するための抽選事前情報１５を生成する。例えば、図３（ａ）図示のように、前記遊技場で新台入れ替えや各種イベントにおける抽選会（以下、「抽選会」という）が行われる日付、予想来客者数に応じて予め定められた前記抽選会へ参加するための整理番号、後述する抽選事前情報記録媒体が発行された時刻、等を関連付けて生成する。
【００１７】
また、抽選事前情報生成部１２は、前記抽選事前情報記録媒体の発行数を集計する。
【００１８】
入場順位情報生成部１３は、集計された前記抽選事前情報記録媒体の発行数と、所定の撹拌設定（抽選設定）に従って、前記整理番号に対応する入場順位情報１６を生成する。例えば、図３（ｂ）図示のように、抽選事前情報１５として生成された前記抽選会が行われる日付、前記整理番号、前記抽選事前情報記録媒体が発行された時刻に、前記整理番号に対応する遊技場への入場順位番号、後述する入場順位情報記録媒体が発行された時刻、後述する遊技客情報１７を関連付けて生成する。
【００１９】
また、入場順位情報生成部１３は、入場順位情報１６の生成結果を作成する。
【００２０】
遊技客情報１７は、前記抽選事前情報記録媒体を所有する遊技客本人が、当該抽選事前情報記録媒体を持参して前記抽選会にて前記入場順位情報記録媒体の発行を受けたことを確認するために取得される情報である。つまり、前記抽選事前情報記録媒体を持参して前記抽選会に参加した遊技客が、前記入場順位情報記録媒体を持参して前記遊技場へ入場しようとする遊技客と同一であることを確認するために取得される情報である。遊技客情報１７は、例えば前記遊技客の顔画像情報とすることができ、後述する遊技客情報取得手段６によって取得される。
【００２１】
これら各処理部が行う情報処理は、ＣＰＵ、ＲＡＭ，ＲＯＭを備える制御部１８によって制御される。
【００２２】
情報記録媒体発行手段３は、前記遊技場への入場順位を抽選するための抽選事前情報１５が記録された抽選事前情報記録媒体を発行する。例えば、図４（ａ）図示のようなバーコード１９ａが印字された抽選整理券１９を発行する。
【００２３】
抽選整理券１９に印字されたバーコード１９ａには、上述した抽選事前情報生成部１２が生成した図３（ａ）図示の前記抽選会が行われる日付、予想来客者数に応じて予め定められた前記抽選会へ参加するための整理番号、抽選整理券１９が発行された時刻、等の抽選事前情報１５が含まれている。
【００２４】
また、抽選整理券１９には、前記抽選会が行われる日付、前記整理番号、抽選整理券１９が発行された時刻が、前記遊技客及び前記抽選会を運営する前記事業者が認識できるように印字されている。
【００２５】
図４（ａ）図示の例では、ある店舗で２０１７年４月２３日に行われる抽選会に参加するための整理番号「０００１」と、抽選整理券１９が発行された時刻「０８：００：１０」が認識できるように印字されている。
【００２６】
発行された抽選事前情報記録媒体は、前記抽選会が行われる前に、前記遊技場へ来場した遊技客に配布される。
【００２７】
情報記録媒体発行手段３は、上述した抽選事前情報生成部１２が集計した前記抽選事前情報記録媒体の発行数を出力する。例えば、図４（ｂ）図示のようなバーコード２０ａが印字された抽選整理券発行数出力物２０を出力する。
【００２８】
抽選整理券発行数出力物２０に印字されたバーコード２０ａには、前記抽選会が行われる日付における抽選整理券１９の発行数が含まれている。
【００２９】
また、抽選整理券発行数出力物２０には、前記抽選会が行われる日付、抽選整理券１９の発行数が、前記事業者が認識できるように印字されている。
【００３０】
図４（ｂ）図示の例では、前記店舗で２０１７年４月２３日に行われる抽選会に参加するための抽選整理券１９の発行数「０１００」と、抽選整理券発行数出力物２０を出力した時刻「０８：３０：５０」が認識できるように印字されている。
【００３１】
情報記録媒体発行手段３は、前記抽選事前情報記録媒体を使用して前記遊技場への入場順位が抽選され、当該遊技場への入場順位に関する情報が記録された入場順位情報記録媒体を発行する。例えば、図５（ａ）図示のようなバーコード２１ａが印字された入場券２１を発行する。
【００３２】
入場券２１に印字されたバーコード２１ａには、上述した抽選事前情報生成部１２が生成した図３（ａ）図示の前記抽選会が行われる日付、予想来客者数に応じて予め定められた前記抽選会へ参加するための整理番号、抽選整理券１９が発行された時刻に、上述した入場順位情報生成部１３が生成した図３（ｂ）図示の前記整理番号に対応する遊技場への入場順位番号、入場券２１の発行時刻、遊技客情報１７、等の入場順位情報１６が含まれている。
【００３３】
また、入場券２１には、前記抽選会が行われた日付、前記入場順位番号、前記整理番号、抽選整理券１９及び入場券２１が発行された時刻が、前記遊技客及び前記事業者が認識できるように印字されている。
【００３４】
図５（ａ）図示の例では、前記店舗で２０１７年４月２３日に行われる抽選会に参加するため、「０８：００：１０」に最初に抽選整理券１９の発行を受けた遊技客が、「０９：０５：１０」に前記抽選会に参加して抽選を受けた結果、５番目に前記遊技場に入場できる「０００５」が認識できるように印字されている。
【００３５】
発行された入場順位情報記録媒体は、前記抽選事前情報記録媒体を持参し、前記抽選会にて抽選が行われた遊技客に配布される。
【００３６】
このように、抽選整理券１９の発行を早く受けても、抽選の結果前記遊技場への入場順位が下位になることがあり得る。同様に、抽選整理券１９の発行を遅く受けても、抽選の結果前記遊技場への入場順位が上位になることがあり得る。そこで、遊技客同士の公平性が保たれることになる。
【００３７】
情報記録媒体発行手段３は、上述した入場順位情報生成部１３が作成した入場順位情報１６の生成結果を出力する。例えば、図５（ｂ）図示のような各整理番号に対応した入場順位番号、等が印字された抽選結果出力物２２を発行する。
【００３８】
この実施形態では、抽選事前情報記録媒体及び入場順位情報記録媒体を紙媒体としているため、情報記録媒体発行手段３をレシートプリンタ等の出力機器を使用している。この他、これらの情報記録媒体として磁気カード等のカード型の情報記録媒体を採用し、情報記録媒体発行手段３として磁気カード発行機器等を使用してもよい。
【００３９】
情報読取手段４は、前記抽選事前情報記録媒体に記録されている抽選事前情報１５及び前記入場順位情報記録媒体に記録されている入場順位情報１６を読み取る。この実施形態ではバーコードリーダを使用して抽選整理券１９に印字されているバーコード１９ａ及び入場券２１に印字されているバーコード２１ａを読み取る。
【００４０】
抽選指示手段５は、情報読取手段４が前記抽選事前情報記録媒体に記録されいてる抽選事前情報１５を読み取る際に、当該抽選事前情報１５に含まれている図３（ａ）図示の整理番号に対応する入場順位を抽選する指示を行う。この実施形態ではバーコードリーダを使用して抽選整理券１９に印字されているバーコード１９ａを読み取った後、抽選整理券１９を所有している遊技客が抽選ボタンを押下することにより、読み取ったバーコード１９ａに含まれている図３（ａ）図示の整理番号に対応する入場順位を抽選するよう指示される。
【００４１】
入場順位情報生成部１３は、上述したように、前記集計された前記抽選事前情報記録媒体の発行数と、所定の撹拌設定（抽選設定）に従って、前記整理番号に対応する入場順位情報１６を生成する。例えば、図３（ｂ）図示のように、抽選事前情報１５として生成された前記抽選会が行われる日付、前記整理番号、前記抽選事前情報記録媒体が発行された時刻に、前記整理番号に対応する遊技場への入場順位番号、前記入場順位情報記録媒体が発行された時刻、後述する遊技客情報１７を関連付けて生成する。
【００４２】
情報記録媒体発行手段３は、上述したように、図３（ｂ）図示の前記遊技場への入場順位情報１６が含まれているバーコード２１ａが印字された図５（ａ）図示の入場券２１を前記遊技客に発行する。
【００４３】
上述の処理を行う抽選指示手段５及び入場順位情報生成部１３が、情報読取手段４が読み取った抽選事前情報１５に基づく前記遊技場への入場順位を抽選する入場順位抽選手段としての機能を果たす。
【００４４】
遊技客情報取得手段６は、情報読取手段４が前記抽選事前情報記録媒体に記録されている抽選事前情報１５を読み取る際に、当該抽選事前情報記録媒体を所有する遊技客の情報を取得する。当該取得した遊技客の情報は、遊技客情報１７として入場順位情報生成部１３が生成した入場順位情報１６に関連付けられる。この実施形態では、Ｗｅｂカメラ等の撮像手段を用いて抽選整理券１９を所有している遊技客の顔を撮像して顔画像情報として取得し、当該顔画像情報は遊技客情報１７として図３（ｂ）図示のように入場順位情報生成部１３によって入場順位情報１６に関連付けられる。
【００４５】
情報読取手段４は、遊技客が持参した入場券２１に印字されているバーコード２１ａを読み取る。読取後、バーコード２１ａに含まれている遊技客情報１７が情報表示手段１１に表示される。情報表示手段１１に表示される遊技客情報１７は、遊技客情報取得手段６が取得した前記抽選事前情報記録媒体を所有する遊技客の顔画像情報である。抽選会を運営する事業者の係員（店員）は、情報表示手段１１に表示される前記遊技客の顔画像情報を見て、入場券２１を持参した遊技客が本人かどうか確認する。
【００４６】
このように、この実施形態では、抽選整理券１９を持参した遊技客に入場順位を抽選した入場券２１を発行する際に当該遊技客の顔画像情報を取得し、入場券２１を持参した遊技客が遊技場に入場する際に前記取得した顔画像情報を情報表示手段１１に表示して本人確認を行う構成としている。
【００４７】
したがって、遊技客同士の公平性が保たれるとともに、第三者に抽選会へ参加させて、当該第三者の抽選結果を回収し、一番良い結果で入場するいわゆる「引き子」による不正な行為を効果的に防止することができる。
【００４８】
［抽選処理フロー］
図６〜図１０を参照して本実施形態による抽選処理フローを説明する。なお、この処理フローはパチンコ遊技場、スロット遊技場の遊技店を例としている。
【００４９】
＜抽選会の準備（抽選整理券の発行）＞
抽選会の開催前では、遊技店を運営する事業者側で抽選整理券の発行が行われる。
【００５０】
（Ｓ１０１）
管理端末２からサーバ装置へ、抽選会ごとに存在する前記抽選会についての種々の情報が記録されている当日設定ファイルと標準設定ファイルの確認・更新指示が行われる。
【００５１】
（Ｓ１０２、Ｓ１０３）
サーバ装置では、前記当日設定ファイルと前記標準設定ファイルの有無を確認する。
【００５２】
（Ｓ１０４）
前記当日設定ファイルが存在する場合、サーバ装置から管理端末２へ前記当日設定ファイルの更新が指示され、管理端末２では前記当日設定ファイルに更新される。
【００５３】
（Ｓ１０５）
前記当日設定ファイルが存在しない場合、サーバ装置から管理端末２へ標準設定ファイルの更新が指示され、管理端末２では前記標準設定ファイルに更新される。
【００５４】
（Ｓ１０６）
情報入力手段１０を用いて、前記抽選会への予想来店者数等が入力される。抽選事前情報生成部１２は、図３（ａ）図示のように、前記抽選会が行われる日付、入力された前記予想来客者数に応じた前記抽選会へ参加するための整理番号を関連付けて抽選事前情報１５を生成する。
【００５５】
（Ｓ１０７）
情報記録媒体発行手段３は、図４（ａ）図示のようなバーコード１９ａが印字された抽選整理券１９を発行する。  
抽選整理券１９に印字されたバーコード１９ａには、上述した抽選事前情報生成部１２が生成した図３（ａ）図示の前記抽選会が行われる日付、前記整理番号、抽選整理券１９が発行された時刻、等の抽選事前情報１５が含まれている。
【００５６】
発行された抽選整理券１９は、前記抽選会が行われる前に、前記遊技店へ来店した遊技客もしくは整列している遊技客に配布される。
【００５７】
（Ｓ１０８）
整理券１９の配布終了後、情報入力手段１０を用いて、整理券１９の発行数の集計指示が入力される。抽選事前情報生成部１２は、整理券１９の発行数を集計し、図４（ｂ）図示のようなバーコード２０ａが印字された抽選整理券発行数出力物２０を出力する。
【００５８】
＜抽選会での入場順位の抽選＞
（Ｓ２０１）
管理端末２からサーバ装置へ、抽選会ごとに存在する前記抽選会についての種々の情報が記録されている当日設定ファイルと標準設定ファイルの確認・更新指示が行われる。
【００５９】
（Ｓ２０２、Ｓ２０３）
サーバ装置では、前記当日設定ファイルと前記標準設定ファイルの有無を確認する。
【００６０】
（Ｓ２０４）
前記当日設定ファイルが存在する場合、サーバ装置から管理端末２へ前記当日設定ファイルの更新が指示され、管理端末２では前記当日設定ファイルに更新される。
【００６１】
（Ｓ２０５）
前記当日設定ファイルが存在しない場合、サーバ装置から管理端末２へ標準設定ファイルの更新が指示され、管理端末２では前記標準設定ファイルに更新される。
【００６２】
（Ｓ２０６）
情報読取手段４は、Ｓ１０８で出力された抽選整理券発行数出力物２０に印字されているバーコード２０ａを読み取る。
【００６３】
（Ｓ２０７）
入場順位情報生成部１３は、情報読取手段４が読み取ったバーコード２０ａに記録されている抽選整理券１９の発行数と、前記当日設定ファイルまたは前記標準設定ファイルに記録されている所定の撹拌設定（抽選設定）に従って、前記整理番号ごとに前記遊技店への入場順位番号を設定する抽選値を生成する。
【００６４】
（Ｓ２０８）
図８図示のように、抽選会が行われている遊技店２３周辺には多数の抽選整理券所有者２５が整列し、係員２４ａ、２４ｂ、・・・が列を管理し、抽選システム１を使用した抽選会を運営している。  
抽選整理券所有者２５は係員２４ａに抽選整理券１９を提示する。係員２４ａは、情報読取手段４を用いて抽選整理券１９に印字されているバーコード１９ａを読み取る。
【００６５】
（Ｓ２０９）
この際、載置台７に配備されているゲート８が図１の矢印の方向へ移動するので、抽選整理券所有者２５を遊技客情報取得手段６の設置位置まで案内することができる。
【００６６】
（Ｓ２１０）
抽選整理券所有者２５は抽選指示手段５である抽選ボタンを押下することにより、読み取られたバーコード１９ａに含まれている図３（ａ）図示の整理番号に対応する入場順位を抽選するよう指示される。
【００６７】
（Ｓ２１１）
Ｗｅｂカメラ等の遊技客情報取得手段６は、抽選整理券所有者２５の顔を撮像して顔画像情報として取得する。取得した当該顔画像情報は遊技客情報１７として図３（ｂ）図示のように入場順位情報生成部１３によって入場順位情報１６に関連付けられる。
【００６８】
（Ｓ２１２）
入場順位情報生成部１３は、Ｓ２０７で生成した抽選値に基づいて、前記整理番号に対応する入場順位を設定する。また、入場順位情報生成部１３は、図３（ｂ）図示のように、抽選事前情報１５として生成された前記抽選会が行われる日付、前記整理番号、抽選整理券１９が発行された時刻に、前記入場順位番号、入場券２１が発行された時刻、遊技客情報１７を関連付けて生成する。
【００６９】
（Ｓ２１３）
情報記録媒体発行手段３は、図５（ａ）図示のようなバーコード２１ａが印字された入場券２１を発行する。入場券２１に印字されたバーコード２１ａには、抽選事前情報生成部１２が生成した図３（ａ）図示の前記抽選会が行われる日付、前記整理番号、抽選整理券１９が発行された時刻に、上述した入場順位情報生成部１３が生成した図３（ｂ）図示の前記整理番号に対応する遊技店への入場順位番号、入場券２１の発行時刻、遊技客情報１７が関連連づけられた入場順位情報１６が含まれている。
【００７０】
（Ｓ２１４）
発行された入場券２１は、抽選が行われた抽選整理券所有者２５に配布される。また、ゲート８が所定の初期位置に移動する。
【００７１】
（Ｓ２１５）
抽選会の終了後、情報入力手段１０用いて抽選結果の出力指示が入力される。入場順位情報生成部１３は、図５（ｂ）図示のような抽選結果出力物２２を出力する。
【００７２】
＜開店時＞
（Ｓ３０１）
図１０図示のように、開店時の遊技店２３周辺には多数の入場券所有者２６が入場券２１に記載されている入場順位順に整列している。  
入場券所有者２６は係員２４ａに入場券２１を提示する。係員２４ａは、情報読取手段４を用いて入場券２１に印字されているバーコード２１ａを読み取る。
【００７３】
（Ｓ３０２）
遊技客が持参した入場券２１に印字されているバーコード２１ａを情報読取手段４が読み取った後、バーコード２１ａに含まれている遊技客情報１７が情報表示手段１１に表示される。
【００７４】
（Ｓ３０３）
情報表示手段１１に表示される遊技客情報１７は、遊技客情報取得手段６が取得した抽選整理券所有者２５の顔画像情報である。係員２４ａは、情報表示手段１１に表示される前記遊技客の顔画像情報を見て、入場券２１を持参した入場券所有者２６が本人かどうか確認する。
【００７５】
（Ｓ３０４）
情報表示手段１１に表示されている遊技客の顔画像情報を見て入場券２１を持参した入場券所有者２６が本人であると確認した場合、遊技店２３への入店を許可する。  
このような処理フローによって、照合を終えた遊技客２７は遊技店２３へ入店することができる。
【００７６】
（Ｓ３０５）
情報表示手段１１に表示されている遊技客の顔画像情報を見て入場券２１を持参した入場券所有者２６が本人でない場合、係員２４ａは入場券所有者２６に入場不可の旨を伝え退店を促す。
【符号の説明】
【００７７】
１  抽選システム
２  管理端末
３  情報記録媒体発行手段
４  情報読取手段
５  抽選指示手段
６  遊技客情報取得手段
７  載置台
８  ゲート
９  情報送受信部
１０  情報入力手段
１１  情報表示手段
１２  抽選事前情報生成部
１３  入場順位情報生成部
１４  記憶部
１５  抽選事前情報
１６  入場順位情報
１７  遊技客情報
１８  制御部
１９  抽選整理券
１９ａ  バーコード
２０  抽選整理券発行数出力物
２０ａ  バーコード
２１  入場券
２１ａ  バーコード
２２  抽選結果出力物
２３  遊技店
２４（２４ａ、２４ｂ、・・・）  店舗係員
２５  抽選整理券所有者
２６  入場券所有者
２７  照合を終えた遊技客
【図１】
2018190276.tif 000003
【図２】
2018190276.tif 000004
【図３】
2018190276.tif 000005
【図４】
2018190276.tif 000006
【図５】
2018190276.tif 000007
【図６】
2018190276.tif 000008
【図７】
2018190276.tif 000009
【図８】
2018190276.tif 000010
【図９】
2018190276.tif 000011
【図１０】
2018190276.tif 000012